(57)【要約】【課題】簡単な操作によりガイド機能の利用を促す。【解決手段】デジタル放送受信装置Ａには、機能利用状況判断部１７が設けられている。機能利用状況判断部１７は、機能やユーザに関する情報や利用状況に基づいて、表示部１２に機能に関するＯＳＤ表示などを提示するか否か、提示する場合にはどのような提示を行うかを例えば制御部５と協働して判断する。機能利用状況判断部１７は、ＥＥＰＲＯＭ２１に格納されるデータベースである、ユーザ情報データベース２１ｂ、ユーザ毎のガイダンス利用回数データベース２１ｃと、各機能の利用回数（頻度）蓄積部（ユーザ毎）２１ａと、と関連付けさせている。また、ＲＯＭ２３は、機能優先順位（基本）データベース２３ａと機能の種別（項目）を記憶する機能データベース２３ｂとを有しており、これらのデータベースも、機能利用状況判断部１７と関連付けされている。【選択図】図１
2008199358.tif 000002
【特許請求の範囲】
【請求項１】
操作又は機能の少なくともいずれかに関するガイダンス機能を有するテレビジョン受信機であって、
前記操作又は前記機能の利用状況を判断する利用状況判断部と、
該利用状況判断部による利用状況に関する判断に基づいて、利用頻度が低い操作又は機能に関するガイダンスを提示するガイダンス提示部と
を有することを特徴とするテレビジョン受信装置。
【請求項２】
前記利用状況判断部は、ユーザの属性又はユーザ操作に基づいて、利用状況を判断することを特徴とする請求項１に記載のテレビジョン受信装置。
【請求項３】
前記利用状況判断部に関連付けされ、ユーザの属性を格納するユーザ情報データベースを有することを特徴とする請求項２に記載のテレビジョン受信装置。
【請求項４】
前記ガイダンス提示部に関連付けされ、前記操作又は前記機能に関するガイダンスを提示するための情報を格納する機能説明データベースと、
前記利用状況判断部に関連付けされ、ガイダンス機能の項目を格納する機能データベース及び該ガイダンス機能における提示の優先順位を格納する機能優先順位データベースと、各機能の利用回数を更新可能に格納する利用回数蓄積部と、を有することを特徴とする請求項１から３までのいずれか１項に記載のテレビジョン受信装置。
【請求項５】
前記利用状況判断部に関連付けされ、前記ガイダンス機能の利用に応じて利用回数がインクリメントするガイダンス利用回数データベースを有することを特徴とする請求項１から４までのいずれか１項に記載のテレビジョン受信装置。
【請求項６】
前記利用状況判断部に関連付けされ、前記ガイダンス機能の有効利用に応じて有効利用回数がインクリメントするガイダンス有効利用回数データベースを有することを特徴とする請求項１から５までのいずれか１項に記載のテレビジョン受信装置。
【請求項７】
前記利用状況判断部は、ユーザに関する識別が行われたタイミングで判断処理を行うことを特徴とする請求項１から６までのいずれか１項に記載のテレビジョン受信装置。
【請求項８】
前記利用状況判断部は、ユーザ操作が行われた際に、該ユーザ操作に関連して提示するガイダンスを行うことを特徴とする請求項１から６までのいずれか１項に記載のテレビジョン受信装置。
【請求項９】
操作又は機能の少なくともいずれかに関するガイダンス機能を有するテレビジョン受信機におけるガイダンス提示方法であって、
前記操作又は前記機能の利用状況を判断し、該利用状況に関する判断に基づいて、利用頻度が低い操作又は機能に関するガイダンスを提示する一連のステップを有することを特徴とするガイダンス提示方法。
【請求項１０】
請求項９に記載のステップをコンピュータに実行させるためのプログラム。
【発明の詳細な説明】
【技術分野】
【０００１】
本発明は、テレビジョン受信装置に関し、特に、ガイダンス機能付きテレビジョン受信装置に関する。
【背景技術】
【０００２】
テレビジョン受信装置において、ユーザに対して操作の方法を提供する機能が設けられている場合がある。特に、近年、デジタル放送の普及に伴い、テレビジョン装置が多機能化し、その操作が複雑化してきているため、このような機能の必要性が高まっている。
【０００３】
下記特許文献１には、選局用マイコンに、メニュー画像や操作項目のリスト画像が格納され、ガイダンス用マイコンには、操作方法や機能説明のガイダンス画像が格納されている装置が提案されている。
【０００４】
この装置において、所定の操作をすると、テレビ映像が表示されている表示画面にメニュー画像がＯＳＤ表示され、所定時間内にメニューの選択を行なうと、リスト画像がＯＳＤ表示されるようになっている。メニュー画像表示で所定時間選択操作がなされないときには、ガイダンス画像が同時にＯＳＤ表示され、また、リスト画像で所定時間操作がなされないと、その操作方法などを示すガイダンスが同時にＯＳＤ表示されるようになっている。
【０００５】
【特許文献１】特開平９−５５８９５号公報
【発明の開示】
【発明が解決しようとする課題】
【０００６】
しかしながら、上記の特許文献１に記載の技術を含む、一般的なガイド機能付きテレビジョン受信装置は、機器の取り扱い説明書の表示や、各種操作の方法や機能を知るために、ユーザからの要求に応じて画面上などに表示させることにより操作に関する説明を行うように構成されている。上述のように、昨今ではテレビジョン受信装置の多機能化が進んでおり、機能の概要すら知らないユーザには、ユーザ側から要求することは困難である。さらにデジタル放送受信テレビ等は様々な機能を備えており、それらの使い方を知らないことでそれらの機能が無駄になり、ユーザにも使い勝手の良さが伝わらないという問題があった。
【０００７】
本発明は、簡単な操作によりガイド機能の利用を促すことを目的とする。
【課題を解決するための手段】
【０００８】
本発明ではユーザからの要求ではなく、ユーザの使用頻度が低く且つ機能としては有効な機能を機器側からユーザに画面上に表示し提案することで、ユーザの使い勝手の向上を図る。
【０００９】
すなわち、本発明の一観点によれば、操作又は機能の少なくともいずれかに関するガイダンス機能を有するテレビジョン受信機であって、前記操作又は前記機能の利用状況を判断する利用状況判断部と、該利用状況判断部による利用状況に関する判断に基づいて、利用頻度が低い操作又は機能に関するガイダンスを提示するガイダンス提示部と、を有することを特徴とするテレビジョン受信装置が提供される。
【００１０】
上記テレビジョン受信装置によれば、操作又は機能の利用状況を装置側で判断し、その判断結果に基づいて、利用状況の低い操作又は機能に関するガイダンスが提示されるため、ユーザ側での特別な操作や判断が不要になる。
【００１１】
前記ガイダンス提示部に関連付けされ、前記操作又は前記機能に関するガイダンスを提示するための情報を格納する機能説明データベースと、前記利用状況判断部に関連付けされ、ガイダンス機能の項目を格納する機能データベース及び該ガイダンス機能における提示の優先順位を格納する機能優先順位データベースと、各機能の利用回数を更新可能に格納する利用回数蓄積部と、を有することが好ましい。また、前記利用状況判断部に関連付けされ、前記ガイダンス機能の利用に応じて利用回数がインクリメントするガイダンス利用回数データベースを有しても良い。さらに、前記利用状況判断部に関連付けされ、前記ガイダンス機能の有効利用に応じて有効利用回数がインクリメントするガイダンス有効利用回数データベースを有していても良い。
【００１２】
前記利用状況判断部は、ユーザに関する識別が行われたタイミングで判断処理を行うことが好ましい。或いは、前記利用状況判断部は、ユーザ操作が行われた際に、該ユーザ操作に関連して提示するガイダンス機能を行っても良い。
本発明の他の観点によれば、操作又は機能の少なくともいずれかに関するガイダンス機能を有するテレビジョン受信機におけるガイダンス提示方法であって、前記操作又は前記機能の利用状況を判断し、該利用状況に関する判断に基づいて、利用頻度が低い操作又は機能に関するガイダンスを提示する一連のステップを有することを特徴とするガイダンス提示方法が提供される。上記ステップをコンピュータに実行させるためのプログラムやそれを記録したコンピュータ読みとり可能な記録媒体であっても良い。
【発明の効果】
【００１３】
テレビの機能として有効な機能に関するガイダンスを、テレビ側からの判断でユーザに提示することができる。従って、ユーザは特別な操作などを行わずに、ガイダンスサービスを受けることができる。
【発明を実施するための最良の形態】
【００１４】
以下、本発明の第１の実施の形態によるデジタル放送受信装置について、図面を参照しながら詳細に説明を行う。図１は、本実施の形態によるデジタル放送受信装置の一構成例を示す図である。図１に示すように、本実施の形態によるデジタル放送受信装置Ａは、放送受信用のアンテナ１と、例えばチューナ及び復調部を含むデジタル放送受信部３と、デマルチプレクサを含み全体を制御する制御部５と、リモコン装置などの制御装置からの指示を含むリモコン信号を受信するリモコン受光部７と、液晶ディスプレイなどの表示部１２と、表示部１２にＯＳＤ表示させるＯＳＤ表示部（ガイダンス提示部）１１と、を有している。尚、ガイダンス提示とは、ＯＳＤ表示の他に、音声出力など様々な報知方法を含む概念である。
【００１５】
さらに、本実施の形態によるデジタル放送受信装置Ａには、機能利用状況判断部１７が設けられている。機能利用状況判断部１７は、機能やユーザに関する情報や利用状況に基づいて、表示部１２に機能に関するＯＳＤ表示などを提示するか否か、提示する場合にはどのような提示を行うかを例えば制御部５と協働して判断する。機能利用状況判断部１７は、ＥＥＰＲＯＭ２１に格納されるデータベースである、ユーザ情報データベース２１ｂ、ユーザ毎のガイダンス利用回数データベース２１ｃ、各機能の利用回数（頻度）蓄積部（ユーザ毎）２１ａ、と関連付けさせている。
【００１６】
また、ＲＯＭ２３は、機能優先順位（基本）データベース２３ａと機能の種別（項目）を記憶する機能データベース２３ｂとを有しており、これらのデータベースも、機能利用状況判断部１７と関連付けされている。尚、機能優先順位データベース２３ａは、性別・年齢別などのユーザの属性毎の機能優先順位を含んでも良い。尚、ユーザ属性毎の機能優先順位に関しては、ＲＯＭ２３ではなくＥＥＰＲＯＭ２１に設けておき、履歴に基づいて適宜更新するように構成しても良い。
【００１７】
図２Ａ，Ｂは、各種データベースの内容の一例を示す図である。ＥＥＰＲＯＭ２１ａに含まれるユーザ情報は、各ユーザの性別・年齢などの属性を示すものであり、年齢などは生年月日と現在年月日とを比較して適宜更新されるようになっている。例えば、３人のユーザが登録されているとすると、ユーザ１は女性、５０歳代であり、ユーザ２は、男性、５０歳代であり、ユーザ３は、女性、２０歳代であり、例えば、１つの家族構成を表し、リビングルームに設置されている大型の液晶ＴＶなどが例である。利用回数蓄積部２１ａに関しては後述する。
【００１８】
一方、上述のように、ＲＯＭ２３には、メーカ側で設定され装置が備える機能に関する項目を含む機能データベース２３ｂと、例えば機能の一般的な利用頻度や重要度に基づいてメーカ側で設定された機能の優先順位（例えば若い番号“１”が最も重要な機能群、次ぎが“２”で示される次ぎに重要な機能群などである。）が設けられている。ＲＯＭ２３には、その他、各種のプログラムが格納され、図示しないＲＡＭ上に展開して各種の処理を行うことができるように構成されている。さらに、ＲＯＭ２３内には、性別、年代別の優先順位が機能と対応して設けられていても良い。例えば、４０〜５０代の男性にとっての機能の優先順位（重要度）や２０〜５０代の女性にとっての機能の優先順位（重要度）がメーカ側により設定されている。
【００１９】
利用回数蓄積部２１ａは、ユーザ毎の各機能の利用回数を適宜更新しながら記憶する。ガイダンス利用回数蓄積部２１ｃは、ユーザ毎のＯＳＤ表示などによるガイダンスの利用回数を蓄積する。
【００２０】
上記構成について、さらに説明すると、図２Ａ図２Ｂに示すように、機能優先順位（基本）２３ａと機能データベース２３ｂとが、予めＲＯＭ２１に記憶されている。そして、テレビジョン受信装置Ａを利用していくと、ユーザ情報２１ｂと、機能優先順位（基本）２３ａと機能データベース２３ｂとに基づいて、利用回数蓄積部２１ａに格納されるデータが作成される。尚、機能優先順位２３ａの代わりに性別・年代別優先順位２３ａを参照して利用回数蓄積部２１ａに格納されるデータを生成するようにしても良い。このようにすると、よりユーザの属性に沿ったきめ細かい利用状況を収集することができる。
【００２１】
ガイダンス利用回数２１ｃは、ユーザ毎、機能毎のガイダンスの利用回数の累積数を示すデータベースである。ガイダンスを利用する毎にこの利用回数が更新されるようになっている。
【００２２】
上記データベースの格納状況の例に基づいて、機能利用状況判断部１７が、ユーザ毎にどのような判断を行うかに関する一例について以下に説明を行う。
【００２３】
１）ユーザ１：
ユーザ１は、機能としての優先順位が高い「番組表からの選局」や「データ連動」、「録画予約」の利用回数が低い。但し、”ガイダンス利用回数”のデータから、「番組表からの選局」は１度ガイダンス機能を利用していることから、ユーザ１へのガイド機能の提案例としては、「データ連動」を最優先し、続いて、再度「番組表からの選局」、「録画予約」を提案するのが好ましいと判断される。
【００２４】
２）ユーザ２：
ユーザ２に関しては、機能としての優先順位が高い「番組表からの選局」の利用回数は１０回とまずまず使いこなしているように思えるが、「データ連動」や「録画予約」の利用回数が低い。そこで、ガイダンス利用回数もなく（“０”）、５０代の男性であることから、「録画予約」機能よりも年代別の優先順位の高い「データ連動」の説明（ガイダンス表示）を優先するのが好ましいと判断し、ユーザ２へのガイド機能提案としては「データ連動」を優先し、続いて「録画予約」を提案するのが好ましいと判断される。
【００２５】
３）ユーザ３：
ユーザ３に関しては、機能としての優先順位が高い「番組表からの選局」「データ連動」「録画予約」の利用回数から各機能を使いこなしていると推測される。そこで、ユーザ３に対しては、機能としての利用回数の低い「入力切換」や「番組情報」を提案するのが好ましいと判断される。
【００２６】
尚、制御装置としてのリモコン装置３１は、図３に示すように、電源スイッチ３３と、チャネル選択ボタン３５と、ユーザ選択ボタン３７と、ガイダンス表示ボタン３９と、を有している。ユーザ選択ボタン３７を押してからユーザが操作を行うことができるようにする。また、ガイダンスボタン３９を押すと、ガイダンスの表示・非表示を切り替えることができる。ガイダンスの表示・非表示により点灯（点滅）、消灯などの報知が行われるようにしてもよい。このガイダンスボタン３９が押された場合に、実際にガイダンスが表示され利用されたものとしてカウントするようにしても良い。
【００２７】
次に、本実施の形態によるガイダンス機能の処理について説明を行う。図４は、ガイダンス処理の流れを示すフローチャート図である。図５は、処理に沿って表示部に表示されるガイダンスの表示例を示す図である。まず、ステップＳ１において、リモコン装置の電源をオンする。ステップＳ２において、ユーザボタン３７の操作に基づく信号を受付け、ユーザを判断する。この場合にはユーザ１と判断され、図５（Ａ）に示すように、ユーザ２とのＯＳＤ表示などがなされる。そして、ステップＳ３において、ユーザ１は、ユーザ情報２１ｂによりユーザ１は５０代の女性であることから、そのユーザに関する情報をユーザ情報２１ｂに基づいて取得する（ステップＳ４）。すなわち、ステップＳ５、Ｓ６において、ユーザの機能利用回数（２１ａより取得）、性別、年齢、に基づいて、どのような機能を提示するかを判断し、決定する。この場合に、複数の候補を提示させ、その中からユーザに提示させるようにしても良い。
【００２８】
機能が決定されると、ステップＳ７において、図５（Ｂ）に示すように、放送表示４１とともに、今すぐにガイダンス機能を活用するかどうかと、ＹＥＳ、ＮＯを選択するＯＳＤ表示５７がなされる。ここで、ＮＯが選択されると、ステップＳ１３に進み放送表示のみが行われ、ステップＳ１４においてガイダンス機能をアクティブにするガイダンス機能ボタンが押されるまで放送表示を継続し、ガイダンス機能ボタンが押されると（ＹＥＳ）、ステップＳ７に進み、再びガイダンス機能を活用するかどうかを選択することができるステップに移行する。
【００２９】
ステップＳ７においてＹｅｓが選択されると、ステップＳ８においてステップＳ６で決定されたガイダンス５７を表示させる（図５（Ｃ））。この場合に、放送表示も小画面４１ａなどにより継続しておくのが好ましい。このガイダンス表示中にステップＳ９に示すようにリモコン装置のガイダンス機能ボタンが押されると（Ｙｅｓ）、ステップＳ１０に進み、ガイダンス機能が理解されたものと推測しガイダンス非表示・通常視聴状態（図５（Ｄ））になる。ガイダンス機能ボタンが押されるまでは（Ｎｏ）ステップＳ８のガイダンス表示を継続する。尚、ある時間、例えば１０分間ガイダンス表示が継続されると、ガイダンス表示５７が非表示となるか小画面となり、放送表示が大画面となるようにしても良い。次いで、ステップＳ１１においてガイダンス利用回数を更新（“１”インクリメント）し、処理を終了する（ステップＳ１２）。
【００３０】
以上に説明したように、本発明の第１の実施の形態によれば、ユーザの属性とガイダンス機能の表示に関する優先度とに基づいてガイダンス機能を表示させることができる。この場合、ユーザ選択操作をトリガーとしてガイダンス機能表示に関する一連の処理が自動的に行われるため、特にユーザ側からのアクションを必要とせずに装置側からの判断に基づいてガイダンスが提供される。従って、ユーザ側で、ガイダンスを提供してもらうための何らかのアクションを行うことなく、客観的な判断によりガイダンス表示を行わせることができる。
【００３１】
次に、本発明の第２の実施の形態によるデジタル放送受信装置について図面を参照しながら説明を行う。図６は、本実施の形態によるガイダンス表示処理の流れを示すフローチャート図であり、図７は、ユーザ毎のガイダンス有効利用回数のデータ構成例を示す図である。ステップＳ１からステップＳ９、ステップＳ１３及びステップＳ１４に関しては、図４と同様である。ステップＳ９において、リモコンのガイダンス機能ボタンが押されると（Ｙｅｓ）、ステップＳ８で表示したガイダンスと対応する機能が使われたか否かを判定する（ステップＳ２１）。対応する機能が使用されたと判定されると（Ｙｅｓ）、ステップＳ２２に進み、機能を利用したイベントが行われると共に後述する有効利用回数を更新（“１”「インクリメント」）する。Ｎｏであれば、ステップＳ２３において通常表示を行い、いずれの場合もステップＳ２４で一連の処理が終了する。図７は、ガイダンス有効利用回数をユーザ毎に整理したテーブルであり、図２Ｂに示すガイダンス利用回数２１Ｃのテーブルと対応する図である。図２Ｂに示すガイダンス利用回数２１Ｃは、ガイダンスを表示させた回数であるのに対して、図７に示すガイダンス有効利用回数は、一連の処理において、表示させたガイダンスに対応する機能が利用された回数を示すものである。この回数は、ガイダンス機能に応じてユーザがその機能を実際に利用して操作を行ったかどうかを検出し、実際に操作を行った場合には、ガイダンス有効利用回数を更新（“１”インクリメント）させるものである。有効利用されたガイダンスは、次回に提示するガイダンスとしての優先順位を下げる処理を行う（優先順位の変更機能を持つ場合、機能優先順位をメモリする媒体はＥＥＰＲＯＭとなる）。
【００３２】
このように、本実施の形態によれば、ガイダンスされた機能が有効利用されているか否かに関する判断材料まで考慮して、有効利用されていないガイダンス機能について優先順位を下げることにより、ユーザにとって真に必要なガイダンスを選別して提示することができるという利点がある。
【００３３】
次に、本発明の第３の実施の形態によるテレビジョン受信装置について図面を参照しながら説明を行う。本発明の第３の実施の形態による処理と、上記第１、第２の実施の形態による処理と、の相違点は、図４のステップＳ４においてユーザ情報を取得した後に、前者ではユーザ情報に基づいて提示すべきガイダンス情報の有無、優先度を判断するのに対して、図８に示す処理においては、ステップＳ４に次いで、ステップＳ３０においてユーザ操作を待ち、ユーザ操作があった場合にステップＳ３１に進み、提示するガイダンス機能がデータベース内にあるか否かを判定し、Ｙｅｓの場合には、ステップＳ３２において提示機能のメニュー画面表示を行い、ステップＳ３３において操作を受け付け、ステップＳ３４において通常視聴などの処理が行われ、処理が終了する（ステップＳ３５）。ステップＳ３１において、Ｎｏの場合には、ステップＳ３２・Ｓ３３をスルーしてステップＳ３４に進む。この場合でも、上記のようにガイダンス利用機能の優先度に基づいて、ガイダンスを提示・非提示するようにすることができる。
【００３４】
このように、ユーザ操作が行われた際に、そのユーザ操作に関連して提示するガイダンス機能が有るか否かを判定し、提示機能が有る場合には、提示機能のメニュー表示を行うことにより、ユーザ操作に応じて関連するガイダンスが行われる。従って、ユーザ操作に続くその後の処理に関するガイダンスをすぐに受けることができるため、処理がよりスムーズに行われるという利点がある。
【００３５】
より具体的な例について簡単に説明する。デジタル放送テレビジョン受信装置において、購入後又は電源投入後の視聴時間とチャンネルアップダウンや数字キーの押下の回数に対し、「電子番組表」の表示回数が少ないと機器側で判断した場合には、そのユーザに対し、「電子番組表」の機能を知っているか否かを画面上の、例えば下部分に“「電子番組表」の機能をご存知ですか？”と表示する。合わせて“知っている”“知らない”ボタンを用意し、“知っている”が選択された場合はそのまま視聴画面に戻り、“知らない”が選択された場合は「電子番組表」の機能説明にうつる。これにより、ユーザに電子番組表を利用するように促すことができる。
【００３６】
以上に説明したように、テレビジョン受信装置の機能として、有効な機能（例えば、デジタル放送テレビジョン受信装置では電子番組表一覧の表示やデータ放送の表示機能がある）があるにも関わらず、ユーザの使用頻度が低い機能に対し各機能の使用頻度を機器側で判断することができる。この際、簡単な操作で、かつ、ユーザの必要に応じて、各種操作の方法や機能を知ることができるようにした画像をOSD表示させることができる。そして、機能を使わずに利用しているであろうと推定されるユーザに対して、有効な機能の使い方などを画面上に表示し提案することにより、ユーザが知らなかった機能を報知し、例えば年配者や女性等、機器操作が不得意な場合にも使いやすい機能を知らせることができる。
【産業上の利用可能性】
【００３７】
本発明は、テレビジョン受信装置、受信機能を有するパーソナルコンピュータ（ＰＣ）、携帯電話機などに利用可能である。
【図面の簡単な説明】
【００３８】
【図１】図１は、本発明の実施の形態によるデジタル放送受信装置の一構成例を示す図である。
【図２Ａ】各種データベースの内容の一例を示す図である。
【図２Ｂ】各種データベースの内容の一例を示す図である。
【図３】制御装置としてのリモコン装置の一構成例を示す図である。
【図４】本実施の形態によるガイダンス機能の処理の流れを示すフローチャート図である。
【図５】図４に示す処理に沿って表示部に表示されるガイダンスの表示例を示す図である。
【図６】本発明の第２の実施の形態によるガイダンス表示処理の流れを示すフローチャート図である。
【図７】本実施の形態において、ユーザ毎のガイダンス有効利用回数のデータ構成例を示す図である。
【図８】本発明の第３の実施の形態によるガイダンス表示処理の流れを示すフローチャート図である。
【符号の説明】
【００３９】
Ａ…デジタル放送受信装置、１…放送受信用のアンテナ、３…デジタル放送受信部、５…制御部、７…リモコン受光部、１１…ＯＳＤ表示部、１２…表示部、１５…ＲＯＭ、１５ａ…機能説明データベース、１７…機能利用状況判断部、２１…ＥＥＰＲＯＭ、２１ｃ…ユーザ毎のガイダンス利用回数データベース、２１ｂ…ユーザ情報データベース、２１ａ…各機能の利用回数（頻度）蓄積部（ユーザ毎）、２３…ＲＯＭ、２３ａ…機能優先順位（基本）データベース、２３ｂ…機能データベース。
【図１】
2008199358.tif 000003
【図２Ａ】
2008199358.tif 000004
【図２Ｂ】
2008199358.tif 000005
【図３】
2008199358.tif 000006
【図４】
2008199358.tif 000007
【図５】
2008199358.tif 000008
【図６】
2008199358.tif 000009
【図７】
2008199358.tif 000010
【図８】
2008199358.tif 000011